(57)【要約】【課題】ケーブルの固定用の固持装置を提供する。【解決手段】本体と、本体の末端に接続され、歯素子を含むファスナーと、本体の何れかの末端に位置するケースと、を含み、ケースは受け入れ部及びハンドル部を含み、受け入れ部は歯素子によってファスナーの自由端を固定し、ハンドル部は受け入れ部に接続され、ファスナーの自由端を釈放することに用いられるケーブルの固定用の固持装置。【選択図】図２Ａ
2019110119.tif 000002
【特許請求の範囲】
【請求項１】
第１の末端と第２の末端を含む本体と、
前記本体の前記第１の末端に接続され、その自由端が少なくとも１つの歯素子を含むファスナーと、
前記本体の前記第１の末端と前記第２の末端との一方に位置するケースと、
を含み、
前記ケースは受け入れ部及びハンドル部を含み、前記受け入れ部は前記少なくとも１つの歯素子によって前記ファスナーの前記自由端を固定することに用いられ、前記ハンドル部は前記受け入れ部に接続され、且つ前記ファスナーの前記自由端を釈放することに用いられるケーブルの固定用の固持装置。
【請求項２】
前記ファスナーは、
前記ファスナーが前記受け入れ部内に完全に差し込まないように制限して、前記ファスナーでの曲がりが前記ファスナーに損傷を与えないようにするための止め部を更に含む請求項１に記載の固持装置。
【請求項３】
前記受け入れ部は、少なくとも１つのノッチを含む固定素子を含み、前記ファスナーが前記受け入れ部に差し込む場合、前記ノッチは、前記少なくとも１つの歯素子を取り入れることに用いられる請求項１又は２に記載の固持装置。
【請求項４】
前記受け入れ部は、前記ファスナーの前記自由端を前記受け入れ部に入るようにガイドするための平滑面を含むガイド部材を含む請求項３に記載の固持装置。
【請求項５】
前記ハンドル部と前記受け入れ部との接触箇所は、前記固定素子を前記ガイド部材から離れるように位置限定して、前記ファスナーの前記少なくとも１つの歯素子を前記受け入れ部から脱離させることに用いられる請求項４に記載の固持装置。
【請求項６】
コンセントを含む電子装置と、
前記コンセントによって前記電子装置に接続されるためのケーブルと、
第１の末端と第２の末端を含む本体と、前記本体の前記第１の末端に接続され、その自由端が少なくとも１つの歯素子を含むファスナーと、前記本体の前記第１の末端と前記第２の末端との一方に位置するケースと、を含み、前記ケースは受け入れ部及びハンドル部を含み、前記受け入れ部は前記少なくとも１つの歯素子によって前記ファスナーの前記自由端を固定することに用いられ、前記ハンドル部は前記受け入れ部に接続され、且つ前記ファスナーの前記自由端を釈放することに用いられる、前記ケーブルを固定するための固持装置と、
を備える電子システム。
【請求項７】
前記ファスナーは、
前記ファスナーが前記受け入れ部内に完全に差し込まないように制限して、前記ファスナーでの曲がりが前記ファスナーに損傷を与えないようにするための止め部を更に含む請求項６に記載の電子システム。
【請求項８】
前記受け入れ部は、少なくとも１つのノッチを含む固定素子を含み、
前記ファスナーが前記受け入れ部に差し込む場合、前記ノッチは、前記少なくとも１つの歯素子を取り入れることに用いられる請求項６又は７に記載の電子システム。
【請求項９】
前記受け入れ部は、前記ファスナーの前記自由端を前記受け入れ部に入るようにガイドするための平滑面を含むガイド部材を含む請求項８に記載の電子システム。
【請求項１０】
前記ハンドル部と前記受け入れ部との接触箇所は、前記固定素子を前記ガイド部材から離れるように位置限定して、前記ファスナーの前記少なくとも１つの歯素子を前記受け入れ部から脱離させることに用いられる請求項９に記載の電子システム。
【発明の詳細な説明】
【技術分野】
【０００１】
本発明は、一般的に、運算及び電力ケーブルに関し、特に、プラグをコンセント内に固持するための装置に関する。
【背景技術】
【０００２】
電器のケースに繋がれて電力を提供する電源コードは、電子システムの正常な動作に対して相当重要である。予期せずに電器のケースから電気が切れられると、電子システムに故障が発生する可能性がある。記憶システムに対しては、電気が切れられると、資料データをなくし及び故障が発生することがある。従来の作法として、従来の電源コード固持機構は、それに設けられたクリップ又はフランジによって電子装置に付設されており、電子装置に差し込まれた特定タイプの電源コードをつかんで維持するために設計されるという特徴を持つ。しかしながら、上記電源コードを電子システムに対して差し込みや引き抜きをする場合、従来のように設計された電源コード固持機構が広いサイズ規格を有するので、その広いサイズ規格により、電子装置に対するホットプラグが干渉し妨害されてしまう。
【発明の概要】
【０００３】
以下、本発明の技術を基本的に理解させるように、１つ又は複数の実施例を簡単に説明する。前記記述は、本技術の全ての実施例を広範に記述するものではなく、且つ全ての示例の肝心又は主要な要素を明記する意図もなく、本発明の技術の如何なる又は全ての方面の範囲を示すものでもない。その唯一の目的は、下文のより詳しい説明の序言として、１つ又は複数の示例のある概念を簡単にすることにある。
【０００４】
本発明の一実施例は、第１の末端と第２の末端を含む本体と、固持装置の本体の第１の末端に接続され、自由端が少なくとも１つの歯素子を含むファスナーと、本体の第１の末端又は第２の末端に位置するケースと、を含み、ケースは受け入れ部及びハンドル部を含み、受け入れ部は前記歯素子によってファスナーの自由端を固定することに用いられ、ハンドル部は受け入れ部に接続され、且つファスナーの自由端を釈放することに用いられるケーブルの固定用の固持装置を提供する。
【０００５】
１つ又は複数の実施形態によると、前記固持装置において、ファスナーは、ファスナーが受け入れ部内に完全に差し込まないように制限して、ファスナーでの曲がりがファスナーに損傷を与えないようにするための止め部を更に含む。
【０００６】
１つ又は複数の実施形態によると、前記固持装置において、受け入れ部は、少なくとも１つのノッチを含む固定素子を含み、ファスナーが受け入れ部に差し込む場合、ノッチは、前記歯素子に接続されることに用いられる。
【０００７】
１つ又は複数の実施形態によると、前記固持装置において、受け入れ部は、ファスナーの自由端を受け入れ部に入るようにガイドするための平滑面を含むガイド部材を含む。
【０００８】
１つ又は複数の実施形態によると、前記固持装置において、ハンドル部と受け入れ部の接触箇所は、固定素子をガイド部材から離れるように位置限定して、ファスナーの前記歯素子を受け入れ部から脱離させることに用いられる。
【０００９】
本発明の別の実施例は、電子システムを提供する。電子システムは、コンセントを含む電子装置と、コンセントによって電子装置に接続されるためのケーブルと、第１の末端と第２の末端を含む本体と、固持装置の本体の第１の末端に接続され、自由端が少なくとも１つの歯素子を含むファスナーと、本体の第１の末端又は第２の末端に位置するケースと、を含み、ケースは受け入れ部及びハンドル部を含み、受け入れ部は歯素子によってファスナーの自由端を固定することに用いられ、ハンドル部は受け入れ部に接続され、且つファスナーの自由端を釈放することに用いられるケーブルの固定用の固持装置と、を備える。そのため、固持装置がコンパクトな装置に配置されるので、ラックサーバー内の小さいスペースに配置されることができる。
【００１０】
上記は、発明が解決しようとする課題、課題を解決するための手段、及び発明の効果等を説明するためのものであるが、本発明の具体的な細部については、下文の実施例及び関連図面で詳しく紹介する。
【図面の簡単な説明】
【００１１】
下記添付図面についての説明は、本発明の上記及び他の目的、特徴、メリットと実施例をより分かりやすくするためのものである。
【図１】従来技術によるケーブルの固定用の固持装置の前面図である。
【図２Ａ】本発明の一実施例によるケーブルの固定用の固持装置を示す前面図である。
【図２Ｂ】本発明の一実施例によるケーブルの固定用の固持装置を示す前面図である。
【図３】本発明の一実施例による図２Ａの固持装置がアンロック状態になる様子を示す斜視図である。
【図４】本発明の一実施例による図２Ａの固持装置が閉鎖状態になる様子を示す斜視図である。
【図５Ａ】本発明の一実施例による図２Ａの固持装置が電子装置に取り付けられる様子を示す斜視図である。
【図５Ｂ】本発明の一実施例による図２Ａの固持装置が電子装置から脱離する様子を示す斜視図である。
【発明を実施するための形態】
【００１２】
以下、図面で本発明の複数の実施例を開示し、明確に説明するために、数多くの実際的な細部を下記で合わせて説明する。しかしながら、理解すべきなのは、これらの実際的な細部は、本発明を制限するように適用されるものではない。つまり、本発明の実施例において、これらの実際的な細部は必要なものではない。また、図面を簡単化するために、ある従来慣用は構造や素子は、図面において簡単に示される。
【００１３】
本発明は、固持装置を提供する。固持装置は、ケーブルを電子装置のコンセント内に固定する。固持装置は、本体と、ファスナーと、ケースと、を含む。本体は、対向する２つの末端を含む。ファスナーは本体の一方の末端に位置し、且つケースは本体の何れかの末端に位置する。ファスナーは、多数の歯素子及び少なくとも１つの止め部を含む。ケースは、受け入れ部、ハンドル部、接続部を含む。受け入れ部は、歯素子によってファスナーの自由端を固定することに用いられる。ハンドル部は、受け入れ部に接続され、且つファスナーの自由端を釈放することに用いられる。受け入れ部は、固定素子及びガイド部材を含む。固定素子は、ファスナーの歯素子に接続されるための少なくとも１つのノッチを含む。接続部は、固持装置を電子装置に固定することに用いられる。このように、受け入れ部のケース内における位置に、電子装置内に取り合わせられた外型縮減設計が創造される。
【００１４】
図１は、従来技術によるケーブル（図示せず）をコンセント５０に固定するための例示的な固持装置１００を示す前面図である。固持装置１００は、ケーブル（図示せず）を受け入れて、電子装置３０のコンセント５０に差し込むことに用いられる。本願の１つの目的によると、電子装置は、電源供給ユニットを含む。コンセント５０は、１つの三極電源コネクタを含む。固持装置１００は、ファスナー１１０と、受け入れ部１２０と、本体１３０と、ケース１４０と、を含む。ファスナー１１０は、複数の歯素子１１５及び少なくとも１つの止め部１１７を含む。止め部１１７は、ファスナー１１０が受け入れ部１２０に完全に差し込まないように確保し、ファスナー１１０での曲がりがファスナー１１０に損傷を与えないようにする。
【００１５】
受け入れ部１２０は、ガイド部材１２５及び固定素子１２３を含む。固定素子１２３は、ファスナー１１０を受け入れ部１２０の中に固定することに用いられる。ファスナー１１０の末端が固定素子１２３とガイド部材１２５との間に収納される。ガイド部材１２５は、ファスナー１１０の末端をガイドするための平滑面を含む。固定素子１２３は、ファスナー１１０を適当な位置に位置限定し、且つファスナー１１０の差し込みのみを許可し、移出不可能にする。例えば、固定素子１２３は、ノッチ１２４を含む。ノッチ１２４は、ファスナー１１０が受け入れ部１２０内に差し込む場合に前記歯素子１１５を受け入れることに用いられる。ファスナー１１０の歯素子１１５とノッチ１２４は、ファスナー１１０が容易に且つ殆ど工夫せずに受け入れ部１２０に差し込まれると共に、固定素子１２３を釈放せずにファスナー１１０が移出しないように設計される。このように、ケーブル（図示せず）が電子装置３０のコンセント５０から脱落しないように確保する。
【００１６】
固持装置１００の本体１３０は、ケース１４０、受け入れ部１２０及びファスナー１１０と互いに繋がる。ケース１４０は、固持装置１００を電子装置３０に固定するための接続部１４７を含む。１つの例示的な実施例において、接続部１４７は、固持装置１００を電源供給ユニットに接続するように配置される。受け入れ部１２０は、釈放レバー１４５を含む。より具体的には、釈放レバー１４５は、固定素子１２３に接続される。釈放レバー１４５は、外力が印加されていない場合、その正常状態にある。方向Ａへ釈放レバー１４５に外力を印加する場合、釈放レバー１４５はそれにより作動される。釈放レバー１４５を作動させる場合、固定素子１２３及びノッチ１２４がガイド部材１２５から離れるように移動して、ファスナー１１０の歯素子１１５をノッチ１２４から釈放する十分なスペースが発生するので、ファスナー１１０が受け入れ部１２０から釈放される。このように、電源コード（図示せず）は、固持装置１００から脱離することができる。
【００１７】
固持装置１００は、ラックサーバー内の小さいスペースの中に配置されることに適していない。より具体的には、受け入れ部１２０は、本体１３０の末端の位置及びケース１４０の受け入れ部１２０から離れる位置に、電子装置３０に組み込むことに適しない幅を取る装置を形成する。図１に示すように、釈放レバー１４５は、固持装置に隣接し又はそれを電子装置３０内の配置箇所に限定する末端を含む。本願は、固持装置の全体形状を圧縮可能な１つ又は複数の特徴を合わせた新規な設計を提供し、その提案された設計がサイズから言えばよりコンパクトで、従来の設計と比べると、そのスペースの水平方向がより小さくなる。また、電子システムは、少なくとも、電子装置、ケーブル及びケーブルの固定用の固持装置を含む。
【００１８】
図２Ａは、本発明の一実施例によるケーブル（図示せず）の固定用の固持装置２００を示す前面図である。図２Ｂは、本発明の一実施例によるケーブル（図示せず）の固定用の固持装置２００を示す前面図である。固持装置２００は、ケーブル（図示せず）を受け入れて、ケーブルを電子装置３０のコンセント５０に差し込むことに用いられる。
【００１９】
本願の１つの目的によると、電子装置３０は、電源供給ユニットを含む。コンセント５０は、図面に示すような三極電源コネクタを含む。固持装置２００は、本体２３０を含む。本体２３０は、互いに対向する第１の末端２３３と第２の末端２３５を含む。固持装置２００は、ファスナー２１０とケース２４０を更に含む。ファスナー２１０は、本体２３０の第１の末端２３３に接続される。ケース２４０は、本体２３０の第２の末端２３５に接続される。ある実施例において、ケース２４０は、本体２３０の第１の末端２３３に接続されてよい。図２Ｂに示すように、ファスナー２１０は、複数の歯素子２１５と少なくとも１つの止め部２１７を含む。ある実施例において、ファスナー２１０は、少なくて単一の歯素子２１５のみを含み、或いは、多くて６つの歯素子２１５も含むこともある。ケーブルの直径は、歯素子の数及びファスナー２１０の長さと正の相関になる。
【００２０】
図２Ａに示すように、ケース２４０は、受け入れ部２２０、ハンドル部２４５及び接続部２４７を含む。図２Ｂに示すように、ケース２４０は、受け入れ部２２０及び接続部２４７を含む。ハンドル部２４５は、本体２３０の第２の末端２３５に位置する。接続部２４７は、固持装置２００を電子装置３０に固接させることに用いられる。より具体的には、接続部２４７は、固持装置２００を電源供給ユニットに接続させることに用いられる。以下、図３及び図４を参照して接続部２４７をより詳しく検討するが、本文は、全てのアセンブリを全面的且つ詳しく説明しようとする意図はない。
【００２１】
受け入れ部２２０は、ガイド部材２２５と固定素子２２３を含む。固定素子２２３は、ファスナー２１０を受け入れ部２２０の中に固定される。ファスナー２１０の本体２３０に接続されていない自由端は、固定素子２２３とガイド部材２２５との間に収納されることができる。ガイド部材２２５は、固定素子２２３内に位置し、ファスナー２１０の末端をガイドするための平滑面を含む。ガイド部材２２５は、ファスナー２１０における歯素子２１５と互いに対向する下側に平行である。固定素子２２３は、円錐状の側面及び平坦な側面を含む。平坦な側面と円錐状の側面とが互いに対向して配置される。ファスナー２１０の歯素子２１５と固定素子２２３とが互いに係合する場合、固定素子２２３の円錐状の側面により、ファスナー２１０を受け入れ部２２０内で進ませるようにすることができる。
【００２２】
固定素子２２３の平坦な側面は、ファスナー２１０の歯素子２１５に合わせた素子とされる。このように、固定素子２２３をファスナー２１０に対して好適な位置までロックさせることができる。このように、ファスナー２１０が釈放されない場合、ファスナー２１０は、差し込むことはできるが、移出することはできない。このように、ケーブル（図示せず）が電子装置３０のコンセント５０から脱離しないように確保することができる。ケース２４０は、ハンドル部２４５を更に含む。ハンドル部２４５により、ファスナー２１０を受け入れ部２２０から脱離させることができる。ハンドル部２４５は、方向Ｂへ操作可能に係合して推進して、ファスナー２１０を釈放することができる。
【００２３】
釈放レバー２４６は、固定素子２２３に接続される。図２Ｂに示すように、釈放レバー２４６の作動により、固定素子２２３はガイド部材２２５から離れるように移動されて、固定素子２２３をファスナー２１０の歯素子２１５から釈放するための十分なスペースを発生させることができる。従って、ファスナー２１０を受け入れ部２２０から釈放する。このように、電源コード（図示せず）は、固持装置２００から移出されることができる。ファスナー２１０は、止め部２１７を含む。止め部２１７は、ファスナー２１０が受け入れ部２２０に完全に差し込まないように確保し、ファスナー２１０での曲がりがファスナー２１０に損傷を与えないようにする。止め部２１７は、業界規格の電源コードの直径にかなうように、ファスナー２１０に位置する。固持装置２００がコンパクトな装置に配置されるので、ラックサーバー内の小さいスペースに配置されることができる。具体的には、受け入れ部２２０は、ケース２４０内の位置で、電子装置３０に合わせたより簡単な設計をする。
【００２４】
図３は、本発明の一実施例による図２Ａの固持装置２００がアンロック（ｕｎｌｏｃｋ）状態になる様子を示す斜視図である。図４は、本発明の一実施例による図２Ａの固持装置２００が閉鎖状態になる様子を示す斜視図である。電子装置３０は、タブ３５を更に含む。タブ３５は、ラックのような複数の傾斜ノッチ４０Ｎを含み、固持装置２００の接続部２４７を受け入れることに用いられる。タブ３５は、ベース４５によって電子装置３０に接続される。タブ３５のベース４５は、粘着剤、ネジ、ナット・ボルトの組み合わせ、スナップ、合わせた接合部材、他の接続装置又はその組み合わせによって電子装置３０に接続される。
【００２５】
接続部２４７は、固定ユニット２４８を含む。固定ユニット２４８は、複数の傾斜ノッチ４０Ｎに対応するように、接続部２４７の下側に位置する。ケース２４０の固定素子２２３と同じように、接続部２４７の固定ユニット２４８は、円錐状の側面及び平坦な側面を含む。平坦な側面と円錐状の側面とが互いに対向して配置される。接続部２４７の固定ユニット２４８と傾斜ノッチ４０Ｎと接合する場合、円錐状の側面により、接続部２４７を電子装置３０（例えば、方向Ｃへ、図５Ａ）へ進ませることができる。
【００２６】
固定ユニット２４８の平坦な側面は、タブ３５の傾斜ノッチ４０Ｎに合わせた素子とされる。このように、固定ユニット２４８がタブ３５に沿って固持装置２００を好適な位置にロックすることができる。このように、固定ユニット２４８が釈放されない場合、固持装置２００は、差し込まれることができるが、移出されることはできない。このように、固持装置２００が予期せずに電子装置３０から脱離しないように確保することができる。接続部２４７により、固持装置２００をタブ３５から脱離させて、後で電子装置３０から移出されるようにすることができる。接続部２４７は、方向Ｄへ操作可能に係合して推進して、固定ユニット２４８を釈放することができる。
【００２７】
図５Ａは、本発明の一実施例による図２Ａの固持装置２００がこの電子装置３０に取り付けられる様子を示す斜視図である。図５Ｂは、本発明の一実施例による図２Ａの固持装置２００がこの電子装置３０から脱離する様子を示す斜視図である。接続部２４７は、固定ユニット２４８に接続される。図３に示すように、接続部２４７を作動させる場合、固定ユニット２４８は、タブ３５から離れるように移動されて、固定ユニット２４８を電子装置３０から釈放するための十分なスペースを発生させることができる。コンセント５０は、止め素子５１を含む。止め素子５１は、固持装置２００が方向Ｃへ電子装置３０にそろって差し込まないことを確保する。止め素子５１は、工業規格の電源コードのサイズと一致になるように、電子装置３０に位置してよい。
【００２８】
本願に提供した上記記述は、当業者が本願を制作又は使用できるようにするためのものである。当業者に対して、上記で開示された様々な修正は明らかに分かるものであり、且つ本公開の範囲から脱離せずに、本文の定義した一般的な原理は、他の変形例に適用されてもよい。従って、本発明は、本文の説明した示例や設計に限定されず、本公開の原理や新規特徴にかなう最大範囲と一致である。
【００２９】
最後、上記で開示された各実施例において、本発明を限定するものではないが、当業者であれば、誰でも本発明の精神や範囲から脱離せずに、様々な変更と修正を加えることができ、その何れも本発明により保護される。従って、本発明の保護範囲は、後の特許請求の範囲により決められたものを基準とする。
【符号の説明】
【００３０】
３０：電子装置
３５：タブ
４０Ｎ：傾斜ノッチ
４５：ベース
５０：コンセント
５１：止め素子
１００、２００：固持装置
１１０、２１０：ファスナー
１１５、２１５：歯素子
１１７、２１７：止め部
１２０、２２０：受け入れ部
１２３、２２３：固定素子
１２４：ノッチ
１２５、２２５：ガイド部材
１３０、２３０：本体
１４０、２４０：ケース
１４５：釈放レバー
１４７、２４７：接続部
２３３：第１の末端
２３５：第２の末端
２４５：ハンドル部
２４６：釈放レバー
２４８：固定ユニット
Ａ、Ｂ、Ｃ、Ｄ：方向
【図１】
2019110119.tif 000003
【図２Ａ】
2019110119.tif 000004
【図２Ｂ】
2019110119.tif 000005
【図３】
2019110119.tif 000006
【図４】
2019110119.tif 000007
【図５Ａ】
2019110119.tif 000008
【図５Ｂ】
2019110119.tif 000009